【手続補正書】
【提出日】平成29年4月24日(2017.4.24)
【手続補正１】
【補正対象書類名】明細書
【補正対象項目名】発明の名称
【補正方法】変更
【補正の内容】
【発明の名称】画像処理装置、画像処理方法、およびプログラム
【手続補正２】
【補正対象書類名】明細書
【補正対象項目名】０００１
【補正方法】変更
【補正の内容】
【０００１】
本発明は、画像処理装置、画像処理方法、およびプログラムに関し、特に、劣化画像の補正処理に関する。
【手続補正３】
【補正対象書類名】明細書
【補正対象項目名】００３５
【補正方法】変更
【補正の内容】
【００３５】
そこで、本発明の目的は、画像回復処理で生じる色付きを適切に抑制させることのできる画像処理装置、画像処理方法、およびプログラムを提供することにある。
【手続補正４】
【補正対象書類名】明細書
【補正対象項目名】００３６
【補正方法】変更
【補正の内容】
【００３６】
上記目的を達成するために、本発明による画像処理装置は、撮像光学系を介して撮像素子に結像した光学像に応じて得られた第１の画像における、画素の色の特徴量を第１の色特徴量として求める第１の算出手段と、前記撮像光学系に起因する画質の劣化を補正するための回復フィルタを用いて、前記第１の画像に対して回復処理を行って、第２の画像を生成する回復処理手段と、前記第２の画像における画素の色の特徴量を第２の色特徴量として求める第２の算出手段と、前記第１の色特徴量に対する前記第２の色特徴量の変化の大きさと、閾値との比較結果に応じて、前記第２の画像の画素値を補正する補正手段と、を有し、前記補正手段は、所定の条件に基づいて前記閾値を設定することを特徴とする。
【手続補正５】
【補正対象書類名】明細書
【補正対象項目名】００３７
【補正方法】変更
【補正の内容】
【００３７】
本発明による画像処理方法は、撮像光学系を介して撮像素子に結像した光学像に応じて得られた第１の画像における、画素の色の特徴量を第１の色特徴量として求める第１の算出ステップと、前記撮像光学系に起因する画質の劣化を補正するための回復フィルタを用いて、前記第１の画像に対して回復処理を行って、第２の画像を生成する回復処理ステップと、前記第２の画像における画素の色の特徴量を第２の色特徴量として求める第２の算出ステップと、前記第１の色特徴量に対する前記第２の色特徴量の変化の大きさと、閾値との比較結果に応じて、前記第２の画像の画素値を補正する補正ステップと、を有し、前記補正ステップでは、所定の条件に基づいて前記閾値を設定することを特徴とする。
【手続補正６】
【補正対象書類名】明細書
【補正対象項目名】００３８
【補正方法】削除
【補正の内容】
【手続補正７】
【補正対象書類名】明細書
【補正対象項目名】０１６９
【補正方法】削除
【補正の内容】
【手続補正８】
【補正対象書類名】明細書
【補正対象項目名】０１７１
【補正方法】変更
【補正の内容】
【０１７１】
また、上記の実施の形態の機能を画像処理方法として、この画像処理方法を、カメラで撮影されたＲＡＷ画像を受け取り、このＲＡＷ画像に対して画像回復処理を行う画像処理装置に実行させるようにすればよい。また、上述の実施の形態の機能を有するプログラムを画像処理装置が備えるコンピュータに実行させるようにしてもよい。なお、プログラムは、例えば、コンピュータに読み取り可能な記録媒体に記録される。
【手続補正９】
【補正対象書類名】明細書
【補正対象項目名】０１７２
【補正方法】削除
【補正の内容】
【手続補正１０】
【補正対象書類名】特許請求の範囲
【補正対象項目名】全文
【補正方法】変更
【補正の内容】
【特許請求の範囲】
【請求項１】
撮像光学系を介して撮像素子に結像した光学像に応じて得られた第１の画像における、画素の色の特徴量を第１の色特徴量として求める第１の算出手段と、
前記撮像光学系に起因する画質の劣化を補正するための回復フィルタを用いて、前記第１の画像に対して回復処理を行って、第２の画像を生成する回復処理手段と、
前記第２の画像における画素の色の特徴量を第２の色特徴量として求める第２の算出手段と、
前記第１の色特徴量に対する前記第２の色特徴量の変化の大きさと、閾値との比較結果に応じて、前記第２の画像の画素値を補正する補正手段と、を有し、
前記補正手段は、所定の条件に基づいて前記閾値を設定することを特徴とする画像処理装置。
【請求項２】
前記補正手段は、前記第１の画像を生成する際に適用されたゲインに基づいて前記閾値を設定することを特徴とする請求項１に記載の画像処理装置。
【請求項３】
前記補正手段は、前記第１の画像を生成する際に適用された感度に基づいて前記閾値を設定することを特徴とする請求項１に記載の画像処理装置。
【請求項４】
前記補正手段は、前記第１の画像を生成する際に適用されたホワイトバランス処理にて適用されたゲインに基づいて前記閾値を設定することを特徴とする請求項１に記載の画像処理装置。
【請求項５】
前記補正手段は、前記第１の画像における色相、彩度、輝度、およびエッジ強度の少なくともいずれかに基づいて前記閾値を設定することを特徴とする請求項１に記載の画像処理装置。
【請求項６】
前記補正手段は、前記第１の色特徴量に係数を乗算することによって前記閾値を設定することを特徴とする請求項１に記載の画像処理装置。
【請求項７】
前記補正手段は、前記所定の条件に基づいて前記係数を変更することを特徴とする請求項６に記載の画像処理装置。
【請求項８】
前記補正手段は、前記変化の大きさが前記閾値を超える場合に、前記変化の大きさが前記閾値を超えないように前記第２の画像の画素値を補正することを特徴とする請求項１乃至７のいずれか１項に記載の画像処理装置。
【請求項９】
前記補正手段によって補正された前記第２の画像に対して、色毎に補間処理を行う補間手段を有することを特徴とする請求項１乃至８のいずれか１項に記載の画像処理装置。
【請求項１０】
前記第１の色特徴量および前記第２の色特徴量は、色差であることを特徴とする請求項１乃至９のいずれか１項に記載の画像処理装置。
【請求項１１】
前記第１の算出手段は、前記第１の画像に含まれる複数の色のうちの第１の色の画素値に対してのみ補間処理を行い、前記第１の色以外の色の画素値と、前記第１の色の画素値の差分から、前記第１の色特徴量を求め、
前記第２の算出手段は、前記第１の画像に含まれる複数の色のうちの前記第１の色の画素値に対してのみ補間処理を行い、前記第１の色以外の色の画素値と、前記第１の色の画素値の差分から、前記第２の色特徴量を求めることを特徴とする請求項１０に記載の画像処理装置。
【請求項１２】
前記第１の画像は、緑、赤、および、青に対応する画素値を有することを特徴とする請求項１乃至１１のいずれか１項に記載の画像処理装置。
【請求項１３】
前記第１の色は緑であり、
前記第１の算出手段は、第１の特徴量として、赤の画素値と緑の画素値の差分を求め、
前記第２の算出手段は、第２の特徴量として、青の画素値と緑の画素値の差分を求めることを特徴とする請求項１２に記載の画像処理装置。
【請求項１４】
撮像光学系を介して撮像素子に結像した光学像に応じて得られた第１の画像における、画素の色の特徴量を第１の色特徴量として求める第１の算出ステップと、
前記撮像光学系に起因する画質の劣化を補正するための回復フィルタを用いて、前記第１の画像に対して回復処理を行って、第２の画像を生成する回復処理ステップと、
前記第２の画像における画素の色の特徴量を第２の色特徴量として求める第２の算出ステップと、
前記第１の色特徴量に対する前記第２の色特徴量の変化の大きさと、閾値との比較結果に応じて、前記第２の画像の画素値を補正する補正ステップと、を有し、
前記補正ステップでは、所定の条件に基づいて前記閾値を設定することを特徴とする画像処理方法。
【請求項１５】
コンピュータを、請求項１乃至請求項１３のいずれか１項に記載の画像処理装置の各手段として機能させるためのプログラム。